(57)【要約】【課題】デジタル撮影デバイスの利用者が、撮影した画像を勝手に使用したり、不適切な画像を撮影したりすることを抑制する。【解決手段】本発明の撮影制御システム、撮影制御方法、プログラムおよび記録媒体においては、各々の利用者の評価情報を各々の利用者のデジタル撮影デバイスに取得し、利用者の評価情報に基づき、各々の利用者のデジタル撮影デバイスの機能を制御し、複数のデジタル撮影デバイスによって撮影された画像を解析し、解析結果に基づいて各々の利用者のデジタル撮影デバイスによって撮影された画像の評価を行い、画像の評価に基づいて各々の利用者の評価情報を更新する。【選択図】  図２
2019118033.tif 000002
【特許請求の範囲】
【請求項１】
複数の利用者がそれぞれ画像を撮影するために利用する複数のデジタル撮影デバイスと、前記複数のデジタル撮影デバイスから前記複数の利用者の評価情報を受信する１以上の評価集計デバイスとを備える撮影制御システムであって、
前記複数の利用者の情報を登録する利用者情報登録部と、
前記利用者情報登録部に登録された複数の利用者の情報を用いて、前記複数のデジタル撮影デバイスをそれぞれ利用する前記複数の利用者を設定する利用者設定部と、
前記複数の利用者の評価情報を記憶する評価情報記憶部と、
前記複数の利用者がそれぞれ利用するデジタル撮影デバイスの設定に基づいて、前記複数の利用者の各々の評価情報を前記評価情報記憶部から前記各々の利用者のデジタル撮影デバイスに取得する評価情報取得部と、
前記評価情報取得部によって取得された各々の利用者の評価情報に基づき、前記各々の利用者のデジタル撮影デバイスの機能を制御する撮影機能制御部と、
前記複数のデジタル撮影デバイスによって撮影された画像を解析する画像解析部と、
前記各々の利用者と、前記各々の利用者のデジタル撮影デバイスによって撮影された画像の解析結果と、を関連付けて記憶する解析結果記憶部と、
前記解析結果記憶部に記憶された解析結果に基づいて前記各々の利用者のデジタル撮影デバイスによって撮影された画像の評価を行い、前記各々の利用者のデジタル撮影デバイスによって撮影された画像の評価に基づいて前記評価情報記憶部に記憶された各々の利用者の評価情報を更新する評価情報更新部と、を備える撮影制御システム。
【請求項２】
前記画像解析部は、前記解析の項目として、画像のボケブレの程度、画像の明るさ、画像の色、画像に写っている人物の数、画像に写っている人物の表情、および、画像に写っているオブジェクトの判定または認識の少なくとも１つを行って、各々の前記解析の項目についてのスコアを算出する、請求項１に記載の撮影制御システム。
【請求項３】
前記評価情報更新部は、前記各々の利用者のデジタル撮影デバイスによって撮影された全ての画像の全ての前記解析の項目のスコアの平均点を、前記各々の利用者の評価情報のスコアとして使用する、請求項２に記載の撮影制御システム。
【請求項４】
前記評価情報更新部は、前記各々の利用者のデジタル撮影デバイスによって撮影された全ての画像に対して、全ての前記解析の項目のスコアの平均点が閾値以上である画像の枚数の割合を、前記各々の利用者の評価情報のスコアとして使用する、請求項２に記載の撮影制御システム。
【請求項５】
前記１以上の評価集計デバイスは、前記複数の利用者の評価情報を一定の時間間隔で受信する、請求項１ないし４のいずれか一項に記載の撮影制御システム。
【請求項６】
前記１以上の評価集計デバイスは、前記各々の利用者のデジタル撮影デバイスによって画像が撮影されるたびに、前記各々の利用者の評価情報を受信する、請求項１ないし４のいずれか一項に記載の撮影制御システム。
【請求項７】
前記１以上の評価集計デバイスは、前記評価情報のスコアが段階的に変化するように設定されている場合に、前記各々の利用者の評価情報が変化するたびに、前記各々の利用者の評価情報を受信する、請求項３または４に記載の撮影制御システム。
【請求項８】
前記１以上の評価集計デバイスは、前記各々の利用者が前記各々の利用者の評価情報の収集の指示をしたときに、前記各々の利用者の評価情報を受信する、請求項１ないし４のいずれか一項に記載の撮影制御システム。
【請求項９】
前記１以上の評価集計デバイスは、前記複数のデジタル撮影デバイスのうちの１つのデジタル撮影デバイスの評価情報を他のデジタル撮影デバイスに送信する、請求項１ないし８のいずれか一項に記載の撮影制御システム。
【請求項１０】
前記各々のデジタル撮影デバイスは、前記各々のデジタル撮影デバイスによって撮影された画像を前記１以上の評価集計デバイスに送信する、請求項１ないし９のいずれか一項に記載の撮影制御システム。
【請求項１１】
前記各々のデジタル撮影デバイスは、前記各々のデジタル撮影デバイスによって撮影された画像を前記１以上の評価集計デバイスに送信し、かつ、前記全ての解析の項目のスコアの平均点が閾値未満の画像の場合に、前記スコアの平均点が閾値未満の画像の画質を落として前記１以上の評価集計デバイスに送信する、請求項３または４に記載の撮影制御システム。
【請求項１２】
前記各々のデジタル撮影デバイスは、前記画像を送信する場合に、さらに、前記画像が撮影されたときの前記デジタル撮影デバイスの機能の制御に関する情報を前記１以上の評価集計デバイスに送信する、請求項１０または１１に記載の撮影制御システム。
【請求項１３】
前記１以上の評価集計デバイスは、前記複数のデジタル撮影デバイスのうちの１つのデジタル撮影デバイスによって撮影された画像を他のデジタル撮影デバイスに送信する、請求項１０ないし１２のいずれか一項に記載の撮影制御システム。
【請求項１４】
前記１以上の評価集計デバイスは、前記複数のデジタル撮影デバイスのうちの１つのデジタル撮影デバイスによって撮影された全ての画像の中から、前記全ての解析の項目のスコアの平均点が閾値以上の画像だけを他のデジタル撮影デバイスに送信する、請求項３または４に記載の撮影制御システム。
【請求項１５】
前記各々のデジタル撮影デバイスは、前記各々のデジタル撮影デバイスによって撮影された画像を前記１以上の評価集計デバイスに送信し、
前記１以上の評価集計デバイスは、前記全ての解析の項目のスコアの平均点が閾値以上の画像を選択して合成画像を作成する合成画像作成部を有する、請求項３または４に記載の撮影制御システム。
【請求項１６】
前記各々の利用者のデジタル撮影デバイスによって画像が撮影されるたびに、前記画像解析部は前記画像を解析し、前記評価情報更新部は前記各々の利用者の評価情報を更新する、請求項１ないし１５のいずれか一項に記載の撮影制御システム。
【請求項１７】
前記各々の利用者のデジタル撮影デバイスによって一定枚数の画像が撮影されるたびに、前記画像解析部は前記画像を解析し、前記評価情報更新部は前記各々の利用者の評価情報を更新する、請求項１ないし１５のいずれか一項に記載の撮影制御システム。
【請求項１８】
前記画像解析部は、前記各々の利用者のデジタル撮影デバイスによって撮影された画像を一定時間毎に解析し、前記画像解析部によって前記各々の利用者のデジタル撮影デバイスによって撮影された画像が解析されるたびに、前記評価情報更新部は、前記各々の利用者の評価情報を更新する、請求項１ないし１５のいずれか一項に記載の撮影制御システム。
【請求項１９】
さらに、前記画像の撮影中に、前記各々のデジタル撮影デバイスの利用者と、前記利用者設定部によって設定された前記各々のデジタル撮影デバイスの利用者と、が同一人物であるか否かを判定する同一人物判定部を備える請求項１ないし１８のいずれか一項に記載の撮影制御システム。
【請求項２０】
さらに、前記画像の撮影中に、前記各々のデジタル撮影デバイスの利用者の顔画像を撮影する顔画像撮影部を備え、
前記顔画像撮影部は、前記各々の利用者の顔画像を定期的に撮影し、
前記同一人物判定部は、前記顔画像撮影部によって前記顔画像が撮影されるたびに、前記顔画像撮影部によって前記画像の撮影中に撮影された顔画像と、前記複数の利用者の情報に含まれる顔画像と、を比較して同一人物であるか否かを判定する、請求項１９に記載の撮影制御システム。
【請求項２１】
さらに、前記画像の撮影中に、前記各々のデジタル撮影デバイスの利用者の顔画像を撮影する顔画像撮影部と、
前記画像の撮影中に、前記各々のデジタル撮影デバイスの利用者と、前記利用者設定部によって設定された前記各々のデジタル撮影デバイスの利用者と、が同一人物であるか否かを判定する同一人物判定部と、を備え、
前記顔画像撮影部は、前記各々の利用者の評価情報のスコアが閾値以上変化した状態が一定回数以上連続した場合に、前記各々の利用者の顔画像を撮影し、
前記同一人物判定部は、前記顔画像撮影部によって前記顔画像が撮影された場合に、前記顔画像撮影部によって前記画像の撮影中に撮影された顔画像と、前記複数の利用者の情報に含まれる顔画像と、を比較して同一人物であるか否かを判定する、請求項３または４に記載の撮影制御システム。
【請求項２２】
さらに、前記画像の撮影中に、前記各々のデジタル撮影デバイスの利用者が、前記利用者設定部によって設定された前記各々のデジタル撮影デバイスの利用者と同一人物であるか否かを判定する同一人物判定部を備え、
前記同一人物判定部は、前記各々の利用者の評価情報のスコアが閾値以上変化した状態が一定回数以上連続した場合に、前記各々の参加者を特定するためのパスワードの入力を求めることによって同一人物であるか否かを判定する、請求項３または４に記載の撮影制御システム。
【請求項２３】
前記利用者情報登録部は、前記画像の撮影前に、前記各々の利用者のデジタル撮影デバイスによって提供されるＧＵＩを前記各々の利用者が手動で操作して入力される前記各々の利用者の情報を登録する、請求項１ないし２２のいずれか一項に記載の撮影制御システム。
【請求項２４】
さらに、前記画像の撮影中に、前記各々のデジタル撮影デバイスの利用者の顔画像を撮影する顔画像撮影部を備え、
前記利用者情報登録部は、前記画像の撮影中に、前記顔画像撮影部によって撮影された前記各々の利用者の顔画像を前記各々の利用者の情報として登録する、請求項１ないし２３のいずれか一項に記載の撮影制御システム。
【請求項２５】
前記撮影機能制御部は、前記デジタル撮影デバイスの機能として、前記デジタル撮影デバイスのハードウェア的な機能およびソフトウェア的な機能の少なくとも１つを制御する、請求項１ないし２４のいずれか一項に記載の撮影制御システム。
【請求項２６】
前記ハードウェア的な機能は、フラッシュ、ズーム、絞りおよび連写の少なくとも１つを含む、請求項２５に記載の撮影制御システム。
【請求項２７】
前記ソフトウェア的な機能は、前記画像を撮影可能な枚数、バックモニタの表示、オートフォーカス、デジタルズームおよび前記画像を撮影可能な時間間隔の少なくとも１つを含む、請求項２５に記載の撮影制御システム。
【請求項２８】
複数の利用者がそれぞれ画像を撮影するために利用する複数のデジタル撮影デバイスと、前記複数のデジタル撮影デバイスから前記複数の利用者の評価情報を受信する１以上の評価集計デバイスとを備える撮影制御システムにおいて画像の撮影を制御する方法であって、
利用者情報登録部が、前記複数の利用者の情報を登録するステップと、
利用者設定部が、前記利用者情報登録部に登録された複数の利用者の情報を用いて、前記複数のデジタル撮影デバイスをそれぞれ利用する前記複数の利用者を設定するステップと、
評価情報記憶部が、前記複数の利用者の評価情報を記憶するステップと、
評価情報取得部が、前記複数の利用者がそれぞれ利用するデジタル撮影デバイスの設定に基づいて、前記複数の利用者の各々の評価情報を前記評価情報記憶部から前記各々の利用者のデジタル撮影デバイスに取得するステップと、
撮影機能制御部が、前記取得された各々の利用者の評価情報に基づき、前記各々の利用者のデジタル撮影デバイスの機能を制御するステップと、
画像解析部が、前記複数のデジタル撮影デバイスによって撮影された画像を解析するステップと、
解析結果記憶部が、前記各々の利用者と前記各々の利用者のデジタル撮影デバイスによって撮影された画像の解析結果とを関連付けて記憶するステップと、
評価情報更新部が、前記解析結果記憶部に記憶された解析結果に基づいて前記各々の利用者のデジタル撮影デバイスによって撮影された画像の評価を行い、前記各々の利用者のデジタル撮影デバイスによって撮影された画像の評価に基づいて前記評価情報記憶部に記憶された各々の利用者の評価情報を更新するステップと、を含む、撮影制御方法。
【請求項２９】
請求項２８に記載の撮影制御方法の各々のステップをコンピュータに実行させるためのプログラム。
【請求項３０】
請求項２８に記載の撮影制御方法の各々のステップをコンピュータに実行させるためのプログラムが記録されたコンピュータ読み取り可能な記録媒体。
【発明の詳細な説明】
【技術分野】
【０００１】
本発明は、利用者によって撮影された画像に基づいて利用者が利用するデジタル撮影デバイスの機能を制御する撮影制御システム、撮影制御方法、プログラムおよび記録媒体に関する。
【背景技術】
【０００２】
デジタルカメラおよびスマートフォン等のように、デジタル撮影デバイスが普及している。その一方で、例えば修学旅行等の学校行事においては、レンズ付きフィルムのように、アナログ撮影デバイスがあえて使用されている。
【０００３】
アナログ撮影デバイスを使用する場合、生徒が撮影した画像は回収されて、教諭が画像の撮影内容を確認することができる。そのため、生徒が、撮影した画像を勝手に使用して、ＳＮＳ（Social Networking Service：ソーシャルネットワーキングサービス）等へアップロードしたり、いじめられている人物が写っている画像等のように、生徒が不適切な画像を撮影したりすることを抑制することができる。
【０００４】
しかし、アナログ撮影デバイスを使用する場合、生徒が撮影した画像を、生徒自身がその場で確認することができない、および、撮影枚数に制限がある（最大３９枚程度）等のように、利便性の観点においてデジタル撮像デバイスに劣る面がある。
【０００５】
ここで、本発明に関連性のある先行技術文献としては、特許文献１および２がある。
【先行技術文献】
【特許文献】
【０００６】
【特許文献１】特開２０１３−０２１６１４号公報
【特許文献２】特開２０１１−０６１７０３号公報
【発明の概要】
【発明が解決しようとする課題】
【０００７】
本発明の目的は、デジタル撮影デバイスの利用者が、撮影した画像を勝手に使用したり、不適切な画像を撮影したりすることを抑制することができる撮影制御システム、撮影制御方法、プログラムおよび記録媒体を提供することにある。
【課題を解決するための手段】
【０００８】
上記目的を達成するために、本発明は、複数の利用者がそれぞれ画像を撮影するために利用する複数のデジタル撮影デバイスと、複数のデジタル撮影デバイスから複数の利用者の評価情報を受信する１以上の評価集計デバイスとを備える撮影制御システムであって、
複数の利用者の情報を登録する利用者情報登録部と、
利用者情報登録部に登録された複数の利用者の情報を用いて、複数のデジタル撮影デバイスをそれぞれ利用する複数の利用者を設定する利用者設定部と、
複数の利用者の評価情報を記憶する評価情報記憶部と、
複数の利用者がそれぞれ利用するデジタル撮影デバイスの設定に基づいて、複数の利用者の各々の評価情報を評価情報記憶部から各々の利用者のデジタル撮影デバイスに取得する評価情報取得部と、
評価情報取得部によって取得された各々の利用者の評価情報に基づき、各々の利用者のデジタル撮影デバイスの機能を制御する撮影機能制御部と、
複数のデジタル撮影デバイスによって撮影された画像を解析する画像解析部と、
各々の利用者と、各々の利用者のデジタル撮影デバイスによって撮影された画像の解析結果と、を関連付けて記憶する解析結果記憶部と、
解析結果記憶部に記憶された解析結果に基づいて各々の利用者のデジタル撮影デバイスによって撮影された画像の評価を行い、各々の利用者のデジタル撮影デバイスによって撮影された画像の評価に基づいて評価情報記憶部に記憶された各々の利用者の評価情報を更新する評価情報更新部と、を備える撮影制御システムを提供する。
【０００９】
ここで、画像解析部は、解析の項目として、画像のボケブレの程度、画像の明るさ、画像の色、画像に写っている人物の数、画像に写っている人物の表情、および、画像に写っているオブジェクトの判定または認識の少なくとも１つを行って、各々の解析の項目についてのスコアを算出することが好ましい。
【００１０】
また、評価情報更新部は、各々の利用者のデジタル撮影デバイスによって撮影された全ての画像の全ての解析の項目のスコアの平均点を、各々の利用者の評価情報のスコアとして使用することが好ましい。
【００１１】
また、評価情報更新部は、各々の利用者のデジタル撮影デバイスによって撮影された全ての画像に対して、全ての解析の項目のスコアの平均点が閾値以上である画像の枚数の割合を、各々の利用者の評価情報のスコアとして使用することが好ましい。
【００１２】
また、１以上の評価集計デバイスは、複数の利用者の評価情報を一定の時間間隔で受信することが好ましい。
【００１３】
また、１以上の評価集計デバイスは、各々の利用者のデジタル撮影デバイスによって画像が撮影されるたびに、各々の利用者の評価情報を受信することが好ましい。
【００１４】
また、１以上の評価集計デバイスは、評価情報のスコアが段階的に変化するように設定されている場合に、各々の利用者の評価情報が変化するたびに、各々の利用者の評価情報を受信することが好ましい。
【００１５】
また、１以上の評価集計デバイスは、各々の利用者が各々の利用者の評価情報の収集の指示をしたときに、各々の利用者の評価情報を受信することが好ましい。
【００１６】
また、１以上の評価集計デバイスは、複数のデジタル撮影デバイスのうちの１つのデジタル撮影デバイスの評価情報を他のデジタル撮影デバイスに送信することが好ましい。
【００１７】
また、各々のデジタル撮影デバイスは、各々のデジタル撮影デバイスによって撮影された画像を１以上の評価集計デバイスに送信することが好ましい。
【００１８】
また、各々のデジタル撮影デバイスは、各々のデジタル撮影デバイスによって撮影された画像を１以上の評価集計デバイスに送信し、かつ、全ての解析の項目のスコアの平均点が閾値未満の画像の場合に、スコアの平均点が閾値未満の画像の画質を落として１以上の評価集計デバイスに送信することが好ましい。
【００１９】
各々のデジタル撮影デバイスは、画像を送信する場合に、さらに、画像が撮影されたときのデジタル撮影デバイスの機能の制御に関する情報を１以上の評価集計デバイスに送信することが好ましい。
【００２０】
また、１以上の評価集計デバイスは、複数のデジタル撮影デバイスのうちの１つのデジタル撮影デバイスによって撮影された画像を他のデジタル撮影デバイスに送信することが好ましい。
【００２１】
また、１以上の評価集計デバイスは、複数のデジタル撮影デバイスのうちの１つのデジタル撮影デバイスによって撮影された全ての画像の中から、全ての解析の項目のスコアの平均点が閾値以上の画像だけを他のデジタル撮影デバイスに送信することが好ましい。
【００２２】
また、各々のデジタル撮影デバイスは、各々のデジタル撮影デバイスによって撮影された画像を１以上の評価集計デバイスに送信し、
１以上の評価集計デバイスは、全ての解析の項目のスコアの平均点が閾値以上の画像を選択して合成画像を作成する合成画像作成部を有することが好ましい。
【００２３】
また、各々の利用者のデジタル撮影デバイスによって画像が撮影されるたびに、画像解析部は画像を解析し、評価情報更新部は各々の利用者の評価情報を更新することが好ましい。
【００２４】
また、各々の利用者のデジタル撮影デバイスによって一定枚数の画像が撮影されるたびに、画像解析部は画像を解析し、評価情報更新部は各々の利用者の評価情報を更新することが好ましい。
【００２５】
また、画像解析部は、各々の利用者のデジタル撮影デバイスによって撮影された画像を一定時間毎に解析し、画像解析部によって各々の利用者のデジタル撮影デバイスによって撮影された画像が解析されるたびに、評価情報更新部は、各々の利用者の評価情報を更新することが好ましい。
【００２６】
さらに、画像の撮影中に、各々のデジタル撮影デバイスの利用者と、利用者設定部によって設定された各々のデジタル撮影デバイスの利用者と、が同一人物であるか否かを判定する同一人物判定部を備えることが好ましい。
【００２７】
さらに、画像の撮影中に、各々のデジタル撮影デバイスの利用者の顔画像を撮影する顔画像撮影部を備え、
顔画像撮影部は、各々の利用者の顔画像を定期的に撮影し、
同一人物判定部は、顔画像撮影部によって顔画像が撮影されるたびに、顔画像撮影部によって画像の撮影中に撮影された顔画像と、複数の利用者の情報に含まれる顔画像と、を比較して同一人物であるか否かを判定することが好ましい。
【００２８】
さらに、画像の撮影中に、各々のデジタル撮影デバイスの利用者の顔画像を撮影する顔画像撮影部と、
画像の撮影中に、各々のデジタル撮影デバイスの利用者と、利用者設定部によって設定された各々のデジタル撮影デバイスの利用者と、が同一人物であるか否かを判定する同一人物判定部と、を備え、
顔画像撮影部は、各々の利用者の評価情報のスコアが閾値以上変化した状態が一定回数以上連続した場合に、各々の利用者の顔画像を撮影し、
同一人物判定部は、顔画像撮影部によって顔画像が撮影された場合に、顔画像撮影部によって画像の撮影中に撮影された顔画像と、複数の利用者の情報に含まれる顔画像と、を比較して同一人物であるか否かを判定することが好ましい。
【００２９】
さらに、画像の撮影中に、各々のデジタル撮影デバイスの利用者が、利用者設定部によって設定された各々のデジタル撮影デバイスの利用者と同一人物であるか否かを判定する同一人物判定部を備え、
同一人物判定部は、各々の利用者の評価情報のスコアが閾値以上変化した状態が一定回数以上連続した場合に、各々の参加者を特定するためのパスワードの入力を求めることによって同一人物であるか否かを判定することが好ましい。
【００３０】
また、利用者情報登録部は、画像の撮影前に、各々の利用者のデジタル撮影デバイスによって提供されるＧＵＩを各々の利用者が手動で操作して入力される各々の利用者の情報を登録することが好ましい。
【００３１】
さらに、画像の撮影中に、各々のデジタル撮影デバイスの利用者の顔画像を撮影する顔画像撮影部を備え、
利用者情報登録部は、画像の撮影中に、顔画像撮影部によって撮影された各々の利用者の顔画像を各々の利用者の情報として登録することが好ましい。
【００３２】
また、撮影機能制御部は、デジタル撮影デバイスの機能として、デジタル撮影デバイスのハードウェア的な機能およびソフトウェア的な機能の少なくとも１つを制御することが好ましい。
【００３３】
また、ハードウェア的な機能は、フラッシュ、ズーム、絞りおよび連写の少なくとも１つを含むことが好ましい。
【００３４】
また、ソフトウェア的な機能は、画像を撮影可能な枚数、バックモニタの表示、オートフォーカス、デジタルズームおよび画像を撮影可能な時間間隔の少なくとも１つを含むことが好ましい。
【００３５】
また、本発明は、複数の利用者がそれぞれ画像を撮影するために利用する複数のデジタル撮影デバイスと、複数のデジタル撮影デバイスから複数の利用者の評価情報を受信する１以上の評価集計デバイスとを備える撮影制御システムにおいて画像の撮影を制御する方法であって、
利用者情報登録部が、複数の利用者の情報を登録するステップと、
利用者設定部が、利用者情報登録部に登録された複数の利用者の情報を用いて、複数のデジタル撮影デバイスをそれぞれ利用する複数の利用者を設定するステップと、
評価情報記憶部が、複数の利用者の評価情報を記憶するステップと、
評価情報取得部が、複数の利用者がそれぞれ利用するデジタル撮影デバイスの設定に基づいて、複数の利用者の各々の評価情報を評価情報記憶部から各々の利用者のデジタル撮影デバイスに取得するステップと、
撮影機能制御部が、取得された各々の利用者の評価情報に基づき、各々の利用者のデジタル撮影デバイスの機能を制御するステップと、
画像解析部が、複数のデジタル撮影デバイスによって撮影された画像を解析するステップと、
解析結果記憶部が、各々の利用者と各々の利用者のデジタル撮影デバイスによって撮影された画像の解析結果とを関連付けて記憶するステップと、
評価情報更新部が、解析結果記憶部に記憶された解析結果に基づいて各々の利用者のデジタル撮影デバイスによって撮影された画像の評価を行い、各々の利用者のデジタル撮影デバイスによって撮影された画像の評価に基づいて評価情報記憶部に記憶された各々の利用者の評価情報を更新するステップと、を含む、撮影制御方法を提供する。
【００３６】
また、本発明は、上記の撮影制御方法の各々のステップをコンピュータに実行させるためのプログラムを提供する。
【００３７】
また、本発明は、上記の撮影制御方法の各々のステップをコンピュータに実行させるためのプログラムが記録されたコンピュータ読み取り可能な記録媒体を提供する。
【００３８】
また、本発明は、複数の利用者がそれぞれ画像を撮影するために利用する複数のデジタル撮影デバイスと、複数のデジタル撮影デバイスから複数の利用者の評価情報を受信する１以上の評価集計デバイスとを備える撮影制御システムであって、
複数の利用者の情報を登録する利用者情報登録部と、
利用者情報登録部に登録された複数の利用者の情報を用いて、複数のデジタル撮影デバイスをそれぞれ利用する複数の利用者を設定する利用者設定部と、
複数の利用者の評価情報を記憶するストレージである評価情報記憶部と、
複数の利用者がそれぞれ利用するデジタル撮影デバイスの設定に基づいて、複数の利用者の各々の評価情報を評価情報記憶部から各々の利用者のデジタル撮影デバイスに取得する評価情報取得部と、
評価情報取得部によって取得された各々の利用者の評価情報に基づき、各々の利用者のデジタル撮影デバイスの機能を制御する撮影機能制御部と、
複数のデジタル撮影デバイスによって撮影された画像を解析する画像解析部と、
各々の利用者と、各々の利用者のデジタル撮影デバイスによって撮影された画像の解析結果と、を関連付けて記憶するストレージである解析結果記憶部と、
解析結果記憶部に記憶された解析結果に基づいて各々の利用者のデジタル撮影デバイスによって撮影された画像の評価を行い、各々の利用者のデジタル撮影デバイスによって撮影された画像の評価に基づいて評価情報記憶部に記憶された各々の利用者の評価情報を更新する評価情報更新部と、を備え、
前記利用者情報登録部、前記利用者設定部、前記評価情報取得部、前記撮影機能制御部、前記画像解析部および前記評価情報更新部は、ハードウェア、または、プログラムを実行するプロセッサである撮影制御システムを提供する。
【発明の効果】
【００３９】
本発明によれば、各々の利用者の評価情報に基づいて、各々の利用者が利用するデジタル撮影デバイスの機能を制御することにより、各々の利用者が、撮影した画像を勝手に使用したり、不適切な画像を撮影したりすることを抑制し、かつ適切な画像を撮影しようとする意欲をより高めることができる。
【図面の簡単な説明】
【００４０】
【図１】本発明の撮影制御システムの構成を表す一実施形態のブロック図である。
【図２】撮影制御システムの内部の構成を表す一実施形態のブロック図である。
【図３】撮影制御システムの動作を表すフローチャートである。
【発明を実施するための形態】
【００４１】
以下に、添付の図面に示す好適実施形態に基づいて、本発明の撮影制御システム、撮影制御方法、プログラムおよび記録媒体を詳細に説明する。
【００４２】
図１は、本発明の撮影制御システムの構成を表す一実施形態のブロック図である。図１に示す撮影制御システム１０は、複数の利用者がそれぞれ画像を撮影するために利用する複数のデジタル撮影デバイス１２と、複数のデジタル撮影デバイス１２から複数の利用者の評価情報を受信する評価集計デバイス１４とを備えている。撮影制御システム１０は、利用者によって撮影された画像に基づいて利用者を評価し、その評価情報に応じて利用者が利用するデジタル撮影デバイス１２の機能を制御する。
【００４３】
撮影制御システム１０が、例えば修学旅行等の学校行事において用いられる場合、デジタル撮影デバイス１２を利用するのは生徒であり、評価集計デバイス１４を利用するのは教諭である。なお、各々の利用者は１人の人物に限らず、グループに含まれる複数の人物であってもよい。また、撮影制御システム１０は、１ないし２以上の評価集計デバイス１４を備えていてもよい。２以上の評価集計デバイス１４を備える場合、２以上の教諭がそれぞれ２以上の評価集計デバイス１４を利用する。
【００４４】
デジタル撮影デバイス１２は、スマートフォン等のように、カメラ機能（スマートフォンにインストールされた画像撮影アプリケーション）および無線通信機能を有するデジタル携帯通信端末である。評価集計デバイス１４は、スマートフォン等のデジタル携帯通信端末、または、PC（パーソナルコンピュータ）、ノートPC、タブレットPC、サーバ等のように、無線通信機能を有する通信装置である。複数のデジタル撮影デバイス１２と、評価集計デバイス１４とは、無線通信によって相互に接続可能である。
【００４５】
図２は、撮影制御システムの内部の構成を表す一実施形態のブロック図である。撮影制御システムは、その内部において、図２に示すように、利用者情報登録部１６と、利用者設定部１８と、評価情報記憶部２０と、評価情報取得部２２と、撮影機能制御部２４と、画像解析部２６と、解析結果記憶部２８と、評価情報更新部３０と、顔画像撮影部３２と、同一人物判定部３４と、合成画像作成部３６と、を備えている。
【００４６】
各々のデジタル撮影デバイス１２は、利用者情報登録部１６、利用者設定部１８、評価情報取得部２２、撮影機能制御部２４および顔画像撮影部３２を少なくとも備え、評価集計デバイス１４は、合成画像作成部３６を少なくとも備えている。その他の評価情報記憶部２０、画像解析部２６、解析結果記憶部２８、評価情報更新部３０および同一人物判定部３４は、各々のデジタル撮影デバイス１２に備えられていてもよいし、評価集計デバイス１４に備えられていてもよい。
【００４７】
撮影制御システム１０において、利用者情報登録部１６は、各々のデジタル撮影デバイス１２において、撮影制御システム１０を利用する複数の利用者の情報を登録する。
【００４８】
利用者の情報は、複数の利用者を一意に識別するための情報であり、特に限定されないが、例えば利用者の氏名、住所、電話番号および顔画像等を利用することができる。また、利用者が生徒の場合、利用者の情報として生徒番号を利用してもよい。
【００４９】
利用者の登録方法および登録タイミングは特に限定されないが、利用者情報登録部１６は、例えばデジタル撮影デバイス１２の利用開始前、つまり、画像の撮影前に、各々の利用者のデジタル撮影デバイス１２によって提供される利用者の登録および設定用のＧＵＩ（Graphical User Interface：グラフィカルユーザインタフェイス）を各々の利用者が手動で操作して入力される各々の利用者の情報を登録することができる。
【００５０】
あるいは、利用者情報登録部１６は、デジタル撮影デバイス１２の利用中、つまり、画像の撮影中に、後述する顔画像撮影部３２によってリアルタイムに撮影された各々の利用者の顔画像を検出および認識して各々の利用者の情報として自動で登録してもよい。
【００５１】
続いて、利用者設定部１８は、画像の撮影前に、各々のデジタル撮影デバイス１２において、利用者情報登録部１６に登録された複数の利用者の情報を用いて、複数のデジタル撮影デバイス１２をそれぞれ利用する複数の利用者を設定する。
【００５２】
デジタル撮影デバイス１２を利用する利用者の設定方法は特に限定されないが、利用者設定部１８は、例えば利用者情報登録部１６によって登録された利用者の名前のリスト、および、複数のデジタル撮影デバイス１２のリストの中から、各々の利用者のデジタル撮影デバイス１２によって提供される利用者の登録および設定用のＧＵＩを各々の利用者が手動で操作して、Ａさんは、１番目のデジタル撮影デバイス１２を利用する、Ｂさんは、２番目のデジタル撮影デバイス１２を利用するというように設定することができる。
【００５３】
続いて、評価情報記憶部２０は、複数の利用者の評価情報を記憶する。
【００５４】
評価情報は、各々の利用者によって撮影された画像の解析結果に基づいて、各々の利用者の良し悪しを評価するための情報であり、特に限定されないが、例えば画像の解析結果に基づいて算出された画像のスコアを評価情報のスコアとして利用することができる。評価情報のスコアは、連続的に変化するように設定されていてもよいし、例えば２段階および５段階というように、段階的に変化するように設定されていてもよい。
【００５５】
続いて、評価情報取得部２２は、画像の撮影前および画像の撮影中に、複数の利用者がそれぞれ利用するデジタル撮影デバイス１２の設定に基づいて、各々の利用者の評価情報を評価情報記憶部２０から各々の利用者のデジタル撮影デバイス１２に取得する。
【００５６】
続いて、撮影機能制御部２４は、画像の撮影前および画像の撮影中に、評価情報取得部２２によって取得された各々の利用者の評価情報に基づき、各々の利用者のデジタル撮影デバイス１２の機能を制御する。
【００５７】
撮影機能制御部２４は、デジタル撮影デバイス１２の機能として、そのハードウェア的な機能およびソフトウェア的な機能の少なくとも１つを制御する。ハードウェア的な機能は、例えばフラッシュ、ズーム、絞りおよび連写の少なくとも１つを含み、ソフトウェア的な機能は、画像を撮影可能な枚数、バックモニタの表示、オートフォーカス、デジタルズームおよび画像を撮影可能な時間間隔の少なくとも１つを含む。
【００５８】
なお、デジタル撮影デバイス１２のハードウェア的な機能およびソフトウェア的な機能は特に限定されず、上記以外の各種の機能を制御してもよい。
【００５９】
デジタル撮影デバイス１２の機能を制御するタイミングは特に限定されないが、例えば評価情報更新部３０によって評価情報が更新されるたびに、デジタル撮影デバイス１２の機能を制御することができる。
【００６０】
また、デジタル撮影デバイス１２の機能の制御方法は特に限定されないが、表１に示すように、例えば評価情報のスコアが５段階に設定されている場合には、デジタル撮影デバイス１２の機能を評価情報のスコアと同じく５段階に制御することができる。
【００６１】
【表１】
2019118033.tif 000003
【００６２】
表１において、評価情報のスコアが「５」の場合、何も制限はなく、撮影できる枚数は制限無し、バックモニタの表示、フラッシュの利用、ズームおよび連写は全て利用可である。評価情報のスコアが「４」の場合、撮影できる枚数は３００枚に制限され、連写が利用不可となる。評価情報のスコアが「３」、「２」および「１」の場合も同様に機能が制限され、評価情報のスコアが小さくなるに従って順次機能が大きく制限される。
【００６３】
また、評価情報が「良い」および「悪い」の２段階に設定されている場合には、デジタル撮影デバイス１２の機能を２段階に制御してもよい。例えば、評価情報が「良い」の場合には、デジタル撮影デバイス１２の機能を制限せず、評価情報が「悪い」の場合は、デジタル撮影デバイス１２の機能を制限する。なお、デジタル撮影デバイス１２の機能を制限する場合、制限する機能は、設定によって変更可能としてもよい。
【００６４】
続いて、画像解析部２６は、画像の撮影中に、複数のデジタル撮影デバイス１２によって撮影された画像を解析する。
【００６５】
画像解析部２６は、画像の解析の項目として、例えば画像のボケブレの程度、画像の明るさ、画像の色（彩度）、画像に写っている人物の数、画像に写っている人物の表情、および、画像に写っているオブジェクトの判定または認識等の少なくとも１つを行って、各々の解析の項目についてのスコアを算出する。また、画像のスコアとして、各々の画像の全ての解析の項目のスコアの平均点、および、各々の利用者のデジタル撮影デバイス１２によって撮影された全ての画像の全ての解析の項目のスコアの平均点等を算出してもよい。
【００６６】
画像解析部２６は、各々の解析の項目のスコアを算出する場合に、不適切な画像の解析の項目のスコアを、適切な画像の解析の項目のスコアよりも低くする。不適切な画像とは、内容が公序良俗に反する画像等であり、例えばいじめられている人物が写っている画像、および、肌の露出が多い人物が写っている画像等である。その他、不適切な画像とは、画質が悪い画像、例えばボケブレの程度が大きい画像、も含む等、任意に設定可能としてもよい。
【００６７】
例えば、いじめられている人物が写っている画像の場合、その人物は泣き顔である可能性が高い。従って、画像解析部２６は、人物の表情の解析結果に基づいて、泣き顔の人物が写っている画像の場合に、その画像の人物の表情の解析のスコアを普通の表情の人物が写っている画像の場合よりも下げ、笑顔の人物が写っている画像の場合に、その画像の人物の表情の解析のスコアを普通の表情の人物が写っている画像の場合よりも上げる。
【００６８】
また、ボケブレの程度の解析結果に基づいて、ボケブレの程度が閾値未満である画像の場合に、その画像のボケブレの程度の解析のスコアを上げ、ボケブレの程度が閾値以上である画像の場合に、その画像のボケブレの程度の解析のスコアを下げる。
【００６９】
つまり、不適切な画像の場合には、各々の解析の項目のスコアが低くなり、従って、画像のスコアも低くなる。
【００７０】
なお、上記の項目の解析は、パターン認識の他、ニューラルネットワークを用いて学習を行った学習済みモデルにより行うことができる。また、画像の解析の項目および解析方法は特に限定されず、各種の画像解析の項目および解析方法を利用することができる。
【００７１】
続いて、解析結果記憶部２８は、各々の利用者と、各々の利用者のデジタル撮影デバイス１２によって撮影され、画像解析部２６によって解析された画像の解析結果と、を関連付けて記憶する。
【００７２】
解析結果記憶部２８には、各々の利用者のデジタル撮影デバイス１２によって画像が撮影されるたびに、各々の利用者と、撮影された各々の利用者の画像の解析結果と、が関連付けられて蓄積されていく。
【００７３】
利用者と画像の解析結果との関連付けの方法は特に限定されないが、表２に示すように、例えば各々の利用者と、各々の利用者の画像の画像名（ファイル名）および各々の画像の全ての解析の項目のスコアの平均点と、を関連付けて記憶することができる。
【００７４】
【表２】
2019118033.tif 000004
【００７５】
表２において、利用者Ａの画像の画像名は、「0001.jpg」、「0002.jpg」、「0003.jpg」、…、各々の画像の全ての解析の項目のスコアの平均点は、「80」、「90」、「95」、…であり、利用者Ａと、利用者Ａの各々の画像の画像名および各々の画像の全ての解析の項目のスコアの平均点と、が関連付けて記憶されている。他の利用者Ｂ、Ｃ、…の場合も同様である。
【００７６】
続いて、評価情報更新部３０は、画像の撮影中に、解析結果記憶部２８に記憶された解析結果、つまり、各々の利用者と関連付けられた画像の解析結果に基づいて、各々の利用者のデジタル撮影デバイス１２によって撮影された画像の評価を行い、その評価に基づいて、評価情報記憶部２０に記憶された各々の利用者の評価情報、つまり、各々の利用者についての評価の良し悪しを更新する。
【００７７】
不適切な画像の場合、各々の解析の項目のスコアが、適切な画像の場合よりも低い。評価情報更新部３０は、例えば人物の表情の解析結果に基づいて、人物の表情のスコアが閾値未満である場合に、その画像は、人物の表情に関して不適切な画像であると評価し、その評価に基づいて、その利用者の評価を下げる。一方、人物の表情のスコアが閾値以上である場合に、その画像は、人物の表情に関して適切な画像であると評価し、その評価に基づいて、その利用者の評価を上げる。その他の解析の項目についても同様である。
【００７８】
評価情報の更新方法は特に限定されないが、例えば各々の利用者のデジタル撮影デバイス１２によって撮影された全ての画像の全ての解析の項目のスコアの平均点を、各々の利用者の評価情報のスコアとして使用することができる。例えば、全ての画像の全ての解析の項目のスコアの平均点が１００点満点中の８０点の場合、評価情報のスコアを８０点にする。また、評価情報のスコアの８０点を５段階のように段階的に表し、５段階中の４としてもよい。
【００７９】
あるいは、各々の利用者のデジタル撮影デバイス１２によって撮影された全ての画像に対して、全ての解析の項目のスコアの平均点が閾値以上である画像の枚数の割合を、各々の利用者の評価情報のスコアとして使用してもよい。例えば、利用者によって撮影された画像の全撮影枚数が１００枚であり、全ての解析の項目のスコアの平均点が８０点以上の画像の枚数が５０枚の場合、その割合は５０％なので評価情報のスコアを５０点にする。なお、閾値となる点数は、あらかじめ設定可能とする。
【００８０】
さらに、画像の解析結果として、画像の撮影枚数に基づいて、例えば最初の１枚だけ評価が高い画像を撮影しているが、たとえその画像の撮影内容の評価が高いとしても、その後、怠けて画像を撮影していない利用者の評価情報のスコアを下げてもよい。
【００８１】
評価情報を更新するタイミングも特に限定されないが、例えば各々の利用者のデジタル撮影デバイス１２によって画像が撮影されるたびに、または、一定枚数の画像が撮影されるたびに、画像解析部２６が画像を解析し、評価情報更新部３０が各々の利用者の評価情報を更新することができる。あるいは、画像解析部２６が各々の利用者のデジタル撮影デバイス１２によって撮影された画像を一定時間毎に解析し、画像解析部２６によって各々の利用者のデジタル撮影デバイス１２によって撮影された画像が解析されるたびに、評価情報更新部３０が各々の利用者の評価情報を更新してもよい。
【００８２】
画像の解析結果と関連付けられていない利用者、つまり、デジタル撮影デバイス１２を初めて利用する利用者の場合は、あらかじめ設定されている評価情報を関連付けることができる。例えば、評価情報のスコアが５段階で表される場合、その真ん中の３にしてもよい。
【００８３】
続いて、顔画像撮影部３２は、画像の撮影中に、各々のデジタル撮影デバイス１２の利用者の顔画像を撮影する。
【００８４】
顔画像撮影部３２は、デジタル撮影デバイスが有するインカメラ等のカメラであって、各々の利用者のデジタル撮影デバイス１２が有するインカメラによって各々のデジタル撮影デバイス１２の利用者の顔画像を撮影する。
【００８５】
続いて、同一人物判定部３４は、画像の撮影中に、各々のデジタル撮影デバイス１２を利用している利用者と、利用者設定部１８によって設定された各々のデジタル撮影デバイス１２の利用者と、が同一人物であるか否かを判定する。
【００８６】
続いて、合成画像作成部３６は、全ての解析の項目のスコアの平均点が閾値以上の画像を選択してフォトアルバム（フォトブック）等の合成画像を作成する。
【００８７】
合成画像作成部３６は、評価集計デバイス１４において、各々のデジタル撮影デバイス１２から、各々のデジタル撮影デバイス１２によって撮影された画像を受信して、合成画像を作成する。
【００８８】
なお、評価情報記憶部２０および解析結果記憶部２８は、例えばＳＤ（Secure Digital）カード、ＨＤＤ（Hard Disk Drive：ハードディスクドライブ）およびＳＳＤ（Solid State Drive：ソリッドステートドライブ）等のストレージデバイスである。
【００８９】
また、利用者の情報、評価情報、画像の解析結果および画像の評価結果等を記憶する場所は、これらの情報をデジタル撮影デバイス１２および評価集計デバイス１４が取得することができる場所であれば特に限定されない。例えば、これらの情報を、各々の利用者のデジタル撮影デバイス１２内または評価集計デバイス１４内に記憶してもよいし、あるいはデジタル撮影デバイス１２が書き込みおよび読み出し可能な外部メディア（記録媒体）等に記憶してもよい。
【００９０】
次に、図３のフローチャートを参照して、撮影制御システム１０の動作を説明する。
【００９１】
撮影制御システム１０を利用する場合、各々の利用者は、各々のデジタル撮影デバイス１２において、利用者の登録および設定用のＧＵＩを手動で操作して各々の利用者の情報を入力する。
【００９２】
各々の利用者の情報が入力されると、利用者情報登録部１６により、各々の利用者の情報が登録される（ステップS1）。
【００９３】
続いて、各々の利用者は、各々のデジタル撮影デバイス１２において、利用者の登録および設定用のＧＵＩを手動で操作して各々の利用者が利用するデジタル撮影デバイス１２を設定する。
【００９４】
各々の利用者が利用するデジタル撮影デバイス１２が設定されると、利用者設定部１８により、利用者情報登録部１６に登録された複数の利用者の情報を用いて、複数のデジタル撮影デバイス１２をそれぞれ利用する複数の利用者が設定される（ステップS2）。
【００９５】
続いて、評価情報取得部２２により、複数の利用者がそれぞれ利用するデジタル撮影デバイス１２の設定に基づいて、各々の利用者の評価情報が評価情報記憶部２０から各々の利用者のデジタル撮影デバイス１２に取得される（ステップS3）。
【００９６】
続いて、各々の利用者の評価情報に基づき、各々の利用者のデジタル撮影デバイス１２の機能を制御するか否かが判定される（ステップS4）。
【００９７】
その結果、各々の利用者のデジタル撮影デバイス１２の機能を制御する場合には（ステップS4においてYes）、各々の利用者のデジタル撮影デバイス１２の機能が制限される、または、制限された機能が解放される（ステップS5）。その後、ステップS6へ進む。
【００９８】
撮影機能制御部２４は、評価情報に基づいて、例えば評価情報のスコアが低い利用者、つまり、評価が悪い利用者のデジタル撮影デバイス１２の機能を制限し、あるいはデジタル撮影デバイス１２を利用できなくすることにより、評価が悪い利用者が適切な画像を撮影するように誘導する。一方、評価情報のスコアが高い利用者、つまり、評価が良い利用者のデジタル撮影デバイス１２の機能を開放することにより、デジタル撮影デバイス１２を利用する際の利便性を向上させる。
【００９９】
このように、各々の利用者の評価情報に基づいて、各々の利用者が利用するデジタル撮影デバイス１２の機能を制御することにより、各々の利用者が、撮影した画像を勝手に使用したり、不適切な画像を撮影したりすることを抑制し、かつ適切な画像を撮影しようとする意欲をより高めることができる。
【０１００】
一方、各々の利用者のデジタル撮影デバイス１２の機能を制御しない場合には（ステップS4においてNo）、ステップS6へ進む。
【０１０１】
続いて、各々の利用者は、各々の利用者のデジタル撮影デバイス１２を利用して画像を撮影する。
【０１０２】
画像が撮影されると、画像解析部２６により、複数のデジタル撮影デバイス１２によって撮影された画像が解析され、各々の利用者と、各々の利用者のデジタル撮影デバイス１２によって撮影された画像の解析結果とが関連付けられて解析結果記憶部２８に記憶される（ステップS6）。
【０１０３】
続いて、評価情報更新部３０により、解析結果記憶部２８に記憶された解析結果に基づいて、各々の利用者のデジタル撮影デバイス１２によって撮影された画像の評価が行われる。続いて、各々の利用者のデジタル撮影デバイス１２によって撮影された画像の評価に基づいて、評価情報記憶部２０に記憶された各々の利用者の評価情報が更新される（ステップS7）。その後、ステップS3へ進む。これ以後の動作は、上記の繰り返しである。
【０１０４】
ここで、利用者設定部１８によって設定された利用者とは異なる利用者がデジタル撮影デバイス１２を利用する場合が想定される。デジタル撮影デバイス１２の利用者を設定する場合に、評価の良い利用者が設定を行い、評価の良い利用者のデジタル撮影デバイス１２を利用して他の利用者が画像を撮影すると、本発明の目的である不適切な画像の撮影の抑制等が達成できない可能性がある。このような事態を防止するために、同一人物判定部３４によって同一人物であるか否かを判定してもよい。
【０１０５】
同一人物であるか否かの判定方法および判定タイミングは特に限定されないが、例えば顔画像撮影部３２が、各々の利用者の顔画像を定期的に撮影し、同一人物判定部３４が、顔画像撮影部３２によって顔画像が撮影されるたびに、顔画像撮影部３２によって画像の撮影中に撮影された顔画像と、利用者情報登録部１６に登録された複数の利用者の情報に含まれる顔画像と、を比較して同一人物であるか否かを判定することができる。
【０１０６】
また、顔画像撮影部３２が、各々の利用者の評価情報のスコアが閾値以上変化した状態が一定回数以上連続した場合に、各々の利用者の顔画像を撮影し、同一人物判定部３４が、顔画像撮影部３２によって顔画像が撮影された場合に、顔画像撮影部３２によって画像の撮影中に撮影された顔画像と、利用者情報登録部１６に登録された複数の利用者の情報に含まれる顔画像と、を比較して同一人物であるか否かを判定してもよい。例えば、評価情報のスコアが５段階の場合に、画像の撮影中に、評価情報が５から３以下に変化した状態が複数回の更新の期間連続した場合に、利用者の顔画像を撮影して同一人物であるか否かを判定する。
【０１０７】
さらに、同一人物判定部３４が、画像の撮影中に、各々の利用者の評価情報のスコアが閾値以上変化した状態が一定回数以上連続した場合に、各々の参加者を特定するためのパスワードの入力を求めることによって同一人物であるか否かを判定してもよい。
【０１０８】
また、評価集計デバイス１４は、複数の利用者の評価情報を受信することができる。例えば撮影制御システム１０が学校行事に用いられる場合、評価集計デバイス１４の利用者は教諭である。複数の利用者の評価情報を評価集計デバイス１４に受信することによって、教諭は、例えば各々の利用者の評価情報のスコアに基づいて、各々の利用者の評価が良いのか悪いのかを判断することができる。
【０１０９】
評価集計デバイス１４は、例えば複数の利用者の評価情報を一定の時間間隔で受信してもよいし、各々の利用者のデジタル撮影デバイス１２によって画像が撮影されるたびに、各々の利用者の評価情報を受信してもよい。また、評価情報のスコアが段階的に変化するように設定されている場合に、各々の利用者の評価情報が変化するたびに、各々の利用者の評価情報を受信してもよいし、各々の利用者が各々の利用者の評価情報の収集の指示をしたときに、各々の利用者の評価情報を受信してもよい。
【０１１０】
また、評価集計デバイス１４は、複数の利用者の評価情報を受信した場合、複数のデジタル撮影デバイス１２のうちの１つのデジタル撮影デバイス１２の評価情報を他のデジタル撮影デバイスに送信してもよい。これにより、ある利用者の評価情報を、他の利用者が確認することができるため、各々の利用者が互いに不適切な画像を撮影しないように誘導することができる。
【０１１１】
また、各々のデジタル撮影デバイス１２は、各々のデジタル撮影デバイス１２によって撮影された画像を１以上の評価集計デバイス１５に送信することができる。評価集計デバイス１５に送信された画像は、画像内容の確認および合成画像の作成等に利用される。
【０１１２】
各々のデジタル撮影デバイス１２は、例えば全ての解析の項目のスコアの平均点が閾値未満の画像の場合に、その画像の画質を落として１以上の評価集計デバイス１４に送信してもよい。全ての解析の項目のスコアの平均点が閾値未満の画像は、不適切な画像である可能性が高く、拡散されるのは望ましくない。また、合成画像の作成に利用される可能性も低いため、その画像内容を確認できる程度の画質であればよい。
【０１１３】
また、各々のデジタル撮影デバイス１２は、画像を送信する場合に、さらに、画像が撮影されたときのデジタル撮影デバイス１２の機能の制御に関する情報を１以上の評価集計デバイス１４に送信してもよい。機能の制御に関する情報を送信することにより、例えば「高度な機能を使うとこんな良い画像が撮れる」とか、「機能制限時でこの画像が撮れるなんてすごい」などのように、盛り上がることができる。
【０１１４】
評価集計デバイス１４は、複数の利用者から画像を受信した場合に、複数のデジタル撮影デバイス１２のうちの１つのデジタル撮影デバイス１２によって撮影された画像を他のデジタル撮影デバイス１２に送信してもよい。これにより、ある利用者によって撮影された画像の内容を、他の利用者が確認することができるため、各々の利用者が互いに不適切な画像を撮影しないように誘導することができ、かつより撮影意欲を高めることができる。
【０１１５】
あるいは、評価集計デバイス１４は、複数のデジタル撮影デバイス１２のうちの１つのデジタル撮影デバイス１２によって撮影された全ての画像の中から、全ての解析の項目のスコアの平均点が閾値以上の画像だけを他のデジタル撮影デバイス１２に送信してもよい。全ての解析の項目のスコアの平均点が閾値以上の画像は、適切な画像である可能性が高い。従って、評価集計デバイス１５において再度画像解析等を行うことなく、合成画像において使用することができる。また、適切な画像だけを使用してフォトアルバム等の合成画像を作成することにより、例えば学校の教諭は、適切な画像だけを容易に一覧することができ、修学旅行等のイベントの目的を達成できたか否かを容易に確認できる。
【０１１６】
本発明の撮影制御システムは、修学旅行等の学校行事に限らず、複数の人が参加するイベント、例えば鉄道マニアの集会、アイドルイベント等において、画像の撮影を制御する必要がある場合にも同様に利用可能である。
【０１１７】
本発明の装置において、例えば、利用者情報登録部１６、利用者設定部１８、評価情報取得部２２、撮影機能制御部２４、画像解析部２６、評価情報更新部３０、同一人物判定部３４および合成画像作成部３６等の各種の処理を実行する処理部（Processing Unit）のハードウェア的な構成は、専用のハードウェアであってもよいし、プログラムを実行する各種のプロセッサまたはコンピュータであってもよい。
【０１１８】
各種のプロセッサには、ソフトウェア（プログラム）を実行して各種の処理部として機能する汎用的なプロセッサであるＣＰＵ（Central Processing Unit）、ＦＰＧＡ（Field Programmable Gate Array）等の製造後に回路構成を変更可能なプロセッサであるプログラマブルロジックデバイス（Programmable Logic Device：ＰＬＤ）、ＡＳＩＣ（Application Specific Integrated Circuit）等の特定の処理をさせるために専用に設計された回路構成を有するプロセッサである専用電気回路等が含まれる。
【０１１９】
１つの処理部を、これら各種のプロセッサのうちの１つで構成してもよいし、同種または異種の２つ以上のプロセッサの組み合わせ、例えば、複数のＦＰＧＡの組み合わせ、または、ＦＰＧＡおよびＣＰＵの組み合わせ等によって構成してもよい。また、複数の処理部を、各種のプロセッサのうちの１つで構成してもよいし、複数の処理部のうちの２以上をまとめて１つのプロセッサを用いて構成してもよい。
【０１２０】
例えば、サーバおよびクライアント等のコンピュータに代表されるように、１つ以上のＣＰＵとソフトウェアの組み合わせで１つのプロセッサを構成し、このプロセッサが複数の処理部として機能する形態がある。また、システムオンチップ（System on Chip：ＳｏＣ）等に代表されるように、複数の処理部を含むシステム全体の機能を１つのＩＣ（Integrated Circuit）チップで実現するプロセッサを使用する形態がある。
【０１２１】
さらに、これらの各種のプロセッサのハードウェア的な構成は、より具体的には、半導体素子などの回路素子を組み合わせた電気回路（Circuitry）である。
【０１２２】
また、本発明の方法は、例えば、その各々のステップをコンピュータに実行させるためのプログラムにより実施することができる。また、このプログラムが記録されたコンピュータ読み取り可能な記録媒体を提供することもできる。
【０１２３】
以上、本発明について詳細に説明したが、本発明は上記実施形態に限定されず、本発明の主旨を逸脱しない範囲において、種々の改良や変更をしてもよいのはもちろんである。
【符号の説明】
【０１２４】
１０  撮影制御システム
１２  デジタル撮影デバイス
１４  評価集計デバイス
１６  利用者情報登録部
１８  利用者設定部
２０  評価情報記憶部
２２  評価情報取得部
２４  撮影機能制御部
２６  画像解析部
２８  解析結果記憶部
３０  評価情報更新部
３２  顔画像撮影部
３４  同一人物判定部
３６  合成画像作成部
【図１】
2019118033.tif 000005
【図２】
2019118033.tif 000006
【図３】
2019118033.tif 000007